(57)【要約】【課題】電源となる燃料電池に空気を確実に供給できるようにする。【解決手段】鏡筒位置検出部２０は、鏡筒の駆動量を検出するフォトセンサを有し、フォトセンサには、遮光羽根に一体化して、ファンが設けられている。鏡筒駆動部１０を介してモータ１１が回転され、鏡筒が移動されると、遮光羽根が回転するとともに、遮光羽根の円盤面内部に設けられた送風用のファンが回転し、燃料電池２２に風が供給される。ファン駆動部１８がモータ１９を駆動すると、電動ファン１９Ａが回転され、これによっても燃料電池２２に風が供給される。本発明は、カメラに適用することができる。【選択図】      図１
2004212833.tif 000002
【特許請求の範囲】
【請求項１】
燃料電池を電源として使用する電子機器であって、
前記燃料電池に空気を送風するファンと、
前記ファンを回転するモータと、
所定の動作が検出されたとき、前記モータを一定の時間だけ回転させるように制御する制御手段と
を備えることを特徴とする電子機器。
【請求項２】
前記制御手段は、前記電子機器の電源スイッチがオンされたとき、前記モータを少なくとも一定の時間だけ回転させるように制御する
ことを特徴とする請求項１に記載の電子機器。
【請求項３】
前記電子機器はカメラであり、
前記制御手段は、前記カメラのレリーズボタンが半押し状態にされたとき、前記モータの回転を開始させるとともに、前記レリーズボタンの半押し状態が解除されてから一定の時間が経過したとき、前記モータの回転を停止させるように制御する
ことを特徴とする請求項１に記載の電子機器。
【請求項４】
前記電子機器はカメラであり、
前記制御手段は、前記カメラのレリーズボタンが全押し状態にされたとき、前記モータの回転を開始させるとともに、ストロボの充電が完了してから一定の時間が経過したとき、前記モータの回転を停止させるように制御する
ことを特徴とする請求項１に記載の電子機器。
【請求項５】
前記電子機器はカメラであり、
前記カメラの鏡筒の駆動量を検出するフォトセンサの遮光羽根と一体的に形成されたファンをさらに備える
ことを特徴とする請求項１乃至４のいずれかに記載の電子機器。
【請求項６】
前記電子機器はカメラであり、
前記カメラの鏡筒の駆動量を検出するフォトセンサの遮光羽根と同軸に配置されたファンをさらに備える
ことを特徴とする請求項１乃至４のいずれかに記載の電子機器。
【発明の詳細な説明】
【０００１】
【発明の属する技術分野】
本発明は、電子機器に関し、特に、電源となる燃料電池に空気を確実に供給することができるようにした電子機器に関する。
【０００２】
【従来の技術】
従来、カメラの電源としては、リチウム電池やアルカリマンガン電池が使用されていた。ところが、近年、燃料電池の小型化が進み、カメラの電源として、燃料電池を使用することが考えられている。
【０００３】
【発明が解決しようとする課題】
しかしながら、燃料電池は、発電に酸素を必要とするが、燃料電池を電池室内に単に収容しただけの状態にしておくと、十分な酸素を得ることができないため、燃料電池が十分な電力を供給することが困難になる恐れがある。
【０００４】
本発明はこのような状況に鑑みてなされたものであり、電源となる燃料電池に空気を確実に供給することができるようにするものである。
【０００５】
【課題を解決するための手段】
本発明の電子機器は、燃料電池を電源として使用する電子機器であって、燃料電池に空気を送風するファンと、ファンを回転するモータと、所定の動作が検出されたとき、モータを一定の時間だけ回転させるように制御する制御手段とを備えることを特徴とする。
【０００６】
制御手段は、電子機器の電源スイッチがオンされたとき、モータを一定の時間だけ回転させるように制御することができる。
【０００７】
電子機器はカメラとし、制御手段は、カメラのレリーズボタンが半押し状態にされたとき、モータの回転を開始させるとともに、レリーズボタンの半押し状態が解除されてから一定の時間が経過したとき、モータの回転を停止させるように制御することができる。
【０００８】
電子機器はカメラとし、制御手段は、カメラのレリーズボタンが全押し状態にされたとき、モータの回転を開始させるとともに、ストロボの充電が完了してから一定の時間が経過したとき、モータの回転を停止させるように制御することができる。
【０００９】
電子機器はカメラとし、ファンは、カメラの鏡筒の駆動量を検出するフォトセンサの遮光羽根と一体的に形成することができる。
【００１０】
電子機器はカメラとし、ファンは、カメラの鏡筒の駆動量を検出するフォトセンサの遮光羽根と同軸に配置することができる。
【００１１】
本発明の電子機器においては、所定の動作が検出されたとき、ファンを回転するモータが一定の時間だけ回転される。
【００１２】
【発明の実施の形態】
以下、図を参照して、本発明の実施の形態について説明する。
【００１３】
図１は、本発明のカメラの一実施の形態の構成を示すブロック図である。同図において、カメラ３０の制御動作を統括するＣＰＵ（Ｃｅｎｔｒａｌ  Ｐｒｏｃｅｓｓｉｎｇ  Ｕｎｉｔ）１には、スイッチ類として、撮像動作を開始する（電源をオンする）とき操作されるメインスイッチ（電源スイッチ）５、シャッタを動作させるとき操作されるレリーズボタン６、レリーズボタン６の半押し状態を検出したときオンする半押しスイッチ７、並びにレリーズボタン６の全押し状態を検出したときオンするレリーズスイッチ８が接続されている。
【００１４】
また、ＣＰＵ１には、鏡筒の位置を検出する鏡筒位置検出部２０の出力と、燃料電池２２の電圧を検出する電圧検出部２１の出力が供給されるようになっている。
【００１５】
さらに、ＣＰＵ１には、ＲＯＭ（Ｒｅａｄ−ｏｎｌｙ  Ｍｅｍｏｒｙ）２、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）３、液晶表示部４、撮像部９、鏡筒駆動部１０、測光部１２、測距部１３、給送部１４、シャッタ駆動部１６、ストロボ駆動部１７、およびファン駆動部１８が接続されている。
【００１６】
ＲＯＭ２には、ＣＰＵ１が使用するプログラムや演算用のパラメータのうちの基本的に固定のデータが格納されている。
【００１７】
ＥＥＰＲＯＭ３は、電気的に書き換えや消去が可能な不揮発性メモリであり、電源オフ後も保持する必要があるデータが記録される。この例では、例えば、ファンを回転させる時間が記憶される。
【００１８】
液晶表示部４は、カメラ（本体）上に配置され、ＣＰＵ１からの出力信号に従い、必要な情報を表示する。
【００１９】
撮像部９は、図２に示すレンズ４３を介して、被写体を撮像し、フィルムに露出する。
【００２０】
鏡筒駆動部１０には、レンズ４３を収容する鏡筒４２（図２）を駆動するためのモータ１１が接続されており、ＣＰＵ１の指示により必要なタイミングで鏡筒４２を駆動する。
【００２１】
測光部１２は、ＣＰＵ１の指示により必要なタイミングで被写体の明るさを測定し、測定結果をＣＰＵ１へ転送する。
【００２２】
測距部１３は、ＣＰＵ１の指示により、必要なタイミングで被写体までの距離を測り、測距結果をＣＰＵ１へ転送する。
【００２３】
給送部１４には、モータ１５が接続されており、ＣＰＵ１の指示によりフィルムを１コマ巻き上げたり、フィルムをパトローネ（図示せず）に巻戻すといった、フィルムの給送処理を行う。
【００２４】
シャッタ駆動部１６は、ＣＰＵ１の指令に対応してシャッタ（図示せず）を駆動する。
【００２５】
ストロボ駆動部１７は、ＣＰＵ１の指令に対応してストロボ（図示せず）を駆動する。
【００２６】
ファン駆動部１８には、モータ１９が接続されており、ＣＰＵ１の指示により燃料電池２２に空気を送るための電動ファン１９Ａを回転させる。
【００２７】
ＣＰＵ１、液晶表示部４、撮像部９、鏡筒駆動部１０、測光部１２、測距部１３、給送部１４、シャッタ駆動部１６、ストロボ駆動部１７、ファン駆動部１８、鏡筒位置検出部２０、並びに電圧検出部２１等には、燃料電池２２から必要な電力が供給されている。
【００２８】
図２は、鏡筒位置検出部２０の概略構成を示す図である。同図において、カメラ本体４１内には、レンズ４３を有する鏡筒４２が設けられている。鏡筒４２は、鏡筒駆動部１０がモータ１１（図１）を駆動したとき、図の左右方向に移動される。このときの鏡筒４２の駆動量は、カメラ本体４１内に設けられたフォトセンサ５１によって検出される。
【００２９】
次に、図３を参照して、フォトセンサ５１の構成について説明する。同図において、フォトセンサ５１は、遮光羽根５２とセンサ５４とを備えている。遮光羽根５２は、円盤状とされ、その円盤面の外周に、円周方向に等間隔に、長方形状のスリット５３が設けられている。センサ５４は、断面がコの字形状とされ、その脚部５５および脚部５６の内側には、対向して一対の投光部（図示せず）および受光部（図示せず）が設けられている。遮光羽根５２は、センサ５４の脚部５５および脚部５６の間の隙間に、脚部５５および脚部５６とそれぞれ接触しないように挿入されている。遮光羽根５２は、鏡筒４２を駆動させるモータ１１と連動しており、鏡筒４２の移動にともなって回転する。
【００３０】
鏡筒４２が駆動されて遮光羽根５２が回転すると、センサ５４の脚部５５および脚部５６の内側に設けられた投光部から発せられる光線は、遮光羽根５２のスリット５３を通過するときは、妨げられず受光部に達するが、スリット５３を通過しないときは、遮光羽根５２に妨げられ受光部に達することができない。その結果、受光部からはパルスが出力される。スリット５３は、遮光羽根５２の円盤面外周に、円周方向に等間隔に設けられているので、このパルスの数を計数することにより、遮光羽根５２の回転量を算出することができる。また、遮光羽根５２は鏡筒４２を駆動させるモータ１１と連動しているので、センサ５４は、遮光羽根５２の回転量から、モータ１１のギヤ比および回転量等から逆算し、鏡筒４２の駆動量を算出することができる。
【００３１】
図３に示されるように、遮光羽根５２とほぼ同一面内の内周側には、送風用のファン６１、６２、および６３が、遮光羽根５２と一体的に設けられている。ファン６１、６２、および６３（以下、これらをまとめて必要に応じてファン６０と称する）は、その外周部の一部がそれぞれ、遮光羽根５２に固定されており、遮光羽根５２と一体的に回転する。ファン６０の回転によって発生した風は、燃料電池２２へ供給される。
【００３２】
図４は、フォトセンサ５１の他の構成例を示している。図４の例では、ファン６１、６２、および６３は、遮光羽根５２の回転軸としてのシャフト５７に同軸に取り付けられている。この例では、シャフト５７の長さの分だけファン６１、６２および６３を、燃料電池２２の近くに配置することが可能となる。その結果、より効率的に燃料電池２２へ送風することが可能となる。
【００３３】
また、燃料電池２２へ送風するためのファンを鏡筒４２を駆動するためのギア系列（図示せず）に配置しても鏡筒４２の駆動とともに、燃料電池２２へ送風することが可能である。
【００３４】
さらに、燃料電池２２へ送風するためのファンをフィルムをパトローネから巻上げるギア系列（図示せず）に配置してもよい。ファンをギア系列に配置することにより、ＣＰＵ１が給送部１４に指示し、フィルムを巻上げさせる毎に燃料電池２２へ送風することが可能となる。
【００３５】
なお、ファンは、燃料電池２２へ送風するためのものであるから、図３および図４に示すファン６１、６２および６３のように３枚羽根の形状に限らず、４枚羽根、あるいは５枚羽根といった、より多くの枚数とすることができる。また、その形状も他の形状でもかまわない。
【００３６】
燃料電池は、天然ガスなどから取り出した水素と酸素とを反応させて電気を作る一種の発電機である。その構造は、例えば、炭素の細かい粒子の表面に白金触媒の粉末を塗布したものが高分子膜に塗り付けられたものとされ、高分子膜が、２つの電極の間に挟まれている。高分子膜と電極との間に形成される２つの空間のうち片方の空間には、メタノール等の天然ガスが封入されており、もう一方の空間は大気開放されている。そして、メタノール等の天然ガスが白金に接触して分解すると、水素イオンが発生する。発生した水素イオンは、高分子膜を通過し反対側の電極に達し、空気中の酸素と反応することによって電気が発生する。したがって、燃料電池２２へ送風することによって酸素が供給され、新たな電気が生み出される。
【００３７】
また、カメラ本体４１内には、電動ファン１９Ａおよび燃料電池２２とは別の電源（図示せず）、例えば、電池等が設けられている。ストロボの充電中など電気量を多く消費する場合、ＣＰＵ１の指示により、この電源によって電動ファン１９Ａを回転させ、燃料電池２２へ送風することによって酸素を供給し、燃料電池２２を充電する。
【００３８】
次に、図５を参照して、メインスイッチ５がオンされた場合の動作を説明する。
【００３９】
メインスイッチ５がオンされると、ステップＳ１０１は電圧検出部２１を制御し、燃料電池２２のバッテリチェックを実行させる。
【００４０】
ステップＳ１０２において、ＣＰＵ１は、ステップＳ１０１の処理で電圧検出部２１により検出された燃料電池２２の電圧が、基準電圧ＴＨ１以上か否かを判定する。基準電圧ＴＨ１は、燃料電池２２の電池残量が十分であるか否かの判定の基準となる電圧である。ステップＳ１０２において、燃料電池２２の電圧が、基準電圧ＴＨ１以上であると判定された場合、ステップＳ１０３に進み、ＣＰＵ１は、液晶表示部４に「電池残量ＯＫ」のメッセージを表示させる。
【００４１】
ステップＳ１０２において、燃料電池２２の電圧が、基準電圧ＴＨ１以上ではないと判定された場合、ステップＳ１０４に進み、ＣＰＵ１は、燃料電池２２の電圧が、基準電圧ＴＨ２以上か否かを判定する。基準電圧ＴＨ２は、燃料電池２２のカメラの正確な動作を保証できる最低の残量に対応する基準電圧であり、基準値ＴＨ１より小さい値とされる。
【００４２】
ステップＳ１０４において、燃料電池２２の電圧が、基準電圧ＴＨ２以上であると判定された場合、ステップＳ１０５に進み、ＣＰＵ１は、液晶表示部４に「電池残量警告」のメッセージを表示させる。ステップＳ１０４において、燃料電池２２の電圧が、基準電圧ＴＨ２より小さいと判定された場合、ステップＳ１０６に進み、ＣＰＵ１は、液晶表示部４に「電池残量ＮＧ」のメッセージを表示させ、メインスイッチがオンされた場合の処理を終了させる。
【００４３】
ステップＳ１０３またはステップＳ１０５の処理が終了した後、処理はステップＳ１０７に進む。
【００４４】
ステップＳ１０７において、ＣＰＵ１は鏡筒駆動部１０を制御して、モータ１１を駆動し、鏡筒４２をワイド端に移動させる。鏡筒４２の移動にともない、鏡筒位置検出部２０の遮光羽根５２が回転し、遮光羽根５２の円盤面内部に一体的に設けられたファン６０の回転によって発生した風は、燃料電池２２へ供給される。これにより、燃料電池２２は、十分な酸素を確保することができ、十分な電圧を発生することができる。鏡筒駆動のギア系列にファンが設けられていた場合にも、鏡筒４２の移動にともない、ファンが回転し、ファンの回転によって発生した風は、燃料電池２２へ供給される。
【００４５】
ステップＳ１０７において、鏡筒４２の繰り出し処理が完了すると、遮光羽根５２の回転も停止し、遮光羽根５２の円盤面内部に設けられたファン６０の回転による、燃料電池２２への送風も停止してしまい、燃料電池２２に十分な空気が供給されなくなる。
【００４６】
燃料電池２２が充電されなくなると、ストロボ充電など燃料電池２２の消費電気量が大きい場合、燃料電池２２の電力量は不足してしまうことになる。そこで、ステップＳ１０８において、ＣＰＵ１は、ファン駆動部１８を制御し、モータ１９を駆動して、送風のために専用に設けた電動ファンを回転させる。
【００４７】
ステップＳ１０９において、ＣＰＵ１は、ストロボ駆動部１７を制御し、内蔵するコンデンサに、ストロボの充電を開始させる。
【００４８】
ステップＳ１１０において、ＣＰＵ１は、ストロボの充電が完了したか否かを判定する。ステップＳ１１０において、ストロボの充電が完了したと判定されなかった場合、処理は、ステップＳ１０９に戻る。
【００４９】
ステップＳ１１０において、ストロボの充電が完了したと判定された場合、ステップＳ１１１に進み、ＣＰＵ１は、ストロボ駆動部１７を制御し、ストロボの充電を停止させる。
【００５０】
ストロボの充電を停止した後も、燃料電池２２の電力を回復させるため、ＣＰＵ１は所定の時間だけ電動ファン１９Ａの回転を続けさせる。
【００５１】
このため、ステップＳ１１２において、ＣＰＵ１は、電動ファン１９Ａの回転時間（電動ファンを回転するモータ１９への通電時間）の計時を開始させる。
【００５２】
ステップＳ１１３において、ＣＰＵ１は、所定の時間が経過したか否かを判定する。この所定時間の情報は、ＥＥＰＲＯＭ３に予め格納しておくことが可能であり、勿論、後から任意の時間に設定を変更することができる。
【００５３】
ステップＳ１１３において、所定の時間が経過したと判定されない場合、所定の時間が経過するまで待機し、所定の時間が経過したと判定された場合、その処理は、ステップＳ１１４に進む。
【００５４】
ステップＳ１１４において、ＣＰＵ１は、ファン駆動部１８を制御し、電動ファン１９Ａの回転を停止させ、メインスイッチ５がオンされた場合の処理を終了する。
【００５５】
次に、図６を参照して、メインスイッチ５がオフされた場合の動作を説明する。
【００５６】
ステップＳ２０１乃至ステップＳ２０６では、図５のメインスイッチ５がオンされた場合のステップＳ１０１乃至ステップＳ１０６の処理と同様の処理が実行される。
【００５７】
すなわち、メインスイッチ５がオフされると、ステップＳ２０１は電圧検出部２１を制御し、燃料電池２２のバッテリチェックを実行させる。
【００５８】
ステップＳ２０２において、ＣＰＵ１は、ステップＳ２０１の処理で電圧検出部２１により検出された燃料電池２２の電圧が、基準電圧ＴＨ１以上か否かを判定する。基準電圧ＴＨ１は、燃料電池２２の電池残量が十分であるか否かの判定の基準となる電圧である。ステップＳ２０２において、燃料電池２２の電圧が、基準電圧ＴＨ１以上であると判定された場合、ステップＳ２０３に進み、ＣＰＵ１は、液晶表示部４に「電池残量ＯＫ」のメッセージを表示させる。
【００５９】
ステップＳ２０２において、燃料電池２２の電圧が、基準電圧ＴＨ１以上ではないと判定された場合、ステップＳ２０４に進み、ＣＰＵ１は、燃料電池２２の電圧が、基準電圧ＴＨ２以上か否かを判定する。基準電圧ＴＨ２は、燃料電池２２のカメラの正確な動作を保証できる最低の残量に対応する基準電圧であり、基準値ＴＨ１より小さい値とされる。
【００６０】
ステップＳ２０４において、燃料電池２２の電圧が、基準電圧ＴＨ２以上であると判定された場合、ステップＳ２０５に進み、ＣＰＵ１は、液晶表示部４に「電池残量警告」のメッセージを表示させる。ステップＳ２０４において、燃料電池２２の電圧が、基準電圧ＴＨ２より小さいと判定された場合、ステップＳ２０６に進み、ＣＰＵ１は、液晶表示部４に「電池残量ＮＧ」のメッセージを表示させ、メインスイッチがオフされた場合の処理を終了させる。
【００６１】
ステップＳ２０３またはステップＳ２０５の処理が終了した後、処理はステップＳ２０７に進む。
【００６２】
ステップＳ２０３またはステップＳ２０５の処理の後、ステップＳ２０７において、ＣＰＵ１は鏡筒駆動部１０を制御してモータ１１を駆動し、鏡筒４２を沈胴位置まで移動させる。鏡筒４２のこの移動にともない、遮光羽根５２が回転し、遮光羽根５２の円盤面内部に設けられたファン６０の回転によって発生した風は、燃料電池２２へ供給され、燃料電池２２が充電される。鏡筒駆動のギア系列にファンが設けられていた場合も、鏡筒４２が繰り込まれるのにともない、ファンが回転し、ファンの回転によって発生した風は、燃料電池２２へ供給され、燃料電池２２が充電される。
【００６３】
次に、ステップＳ２０８において、ＣＰＵ１は、電動ファン１９Ａの回転モータ１９の通電時間の計時を開始した後、ステップＳ２０９で、ファン駆動部１８を制御し、モータ１９を駆動して、電動ファン１９Ａを回転させる。
【００６４】
ステップＳ２１０で所定の時間が経過したと判定されるまで待機した後、所定の時間が経過したとき、ＣＰＵ１は、ステップＳ２１１でファン駆動部１８を制御し、モータ１９の駆動を停止し、電動ファン１９Ａの回転を停止させる。
【００６５】
次に、図７と図８を参照して、半押しスイッチ７がオンされた場合の動作を説明する。
【００６６】
ステップＳ３０１乃至ステップＳ３０６では、図５のメインスイッチ５がオンされた場合のステップＳ１０１乃至ステップＳ１０６の処理（したがって、図６のステップＳ２０１乃至Ｓ２０６の処理）と同様の処理が実行される。その説明は繰り返しになるので省略する。
【００６７】
ステップＳ３０３またはステップＳ３０５の処理の後、ステップＳ３０７において、ＣＰＵ１は、電動ファン１９Ａが回転中か否かを判定する。
【００６８】
ステップＳ３０７において、電動ファン１９Ａが回転中ではないと判定された場合、ステップＳ３０９に進み、ＣＰＵ１は、ファン駆動部１８を制御し、モータ１９を駆動して、電動ファン１９Ａを回転させる。ステップＳ３０７において、電動ファン１９Ａが既に回転中であると判定された場合、ステップＳ３０８に進み、ＣＰＵ１は、電動ファン１９Ａの回転を継続させる（電動ファン１９Ａの回転を停止しない）。
【００６９】
ステップＳ３１０において、ＣＰＵ１は、ストロボ駆動部１７の出力をモニタし、ストロボ充電電圧が十分か否かを判定する。
【００７０】
ステップＳ３１０において、ストロボ充電電圧が不十分であると判定された場合、ステップＳ３１４に進み、ＣＰＵ１は、液晶表示部４に「未充電警告」のメッセージを表示させる。ステップＳ３１０において、ストロボ充電電圧が十分であると判定された場合、ステップＳ３１１に進み、ＣＰＵ１は、測距処理を実行する。具体的には、ＣＰＵ１は、測距部１３に測距開始制御信号を送る。これに対応して、測距部１３は測距処理を開始する。測距処理の詳細は省略するが、測距が完了すると、測距部１３はＣＰＵ１へ測距結果を出力する。
【００７１】
ステップＳ３１２において、ＣＰＵ１は、測光部１２に制御信号を送り、測光処理を実行する。測光処理の詳細は省略するが、測光部１２は、内部の受光素子に入力した光量から被写体の輝度を算出し、シャッタの開口時間を求める。同時に低輝度かどうかの判別をし、ストロボ発光が必要かどうかを判断する。
【００７２】
ステップＳ３１３において、ＣＰＵ１は、液晶表示部４に「ストロボ充電完了／測距処理完了」のメッセージを表示させる。
【００７３】
ステップＳ３１３またはステップＳ３１４の処理が完了した後、ステップＳ３１５に進み、ＣＰＵ１は、半押しスイッチ７がオフされたか否かを判定する。
【００７４】
ステップＳ３１５において、半押しスイッチ７がオフされたと判定されない場合、オフされるまで待機する。ステップＳ３１５において、半押しスイッチ７がオフされたと判定された場合、処理はステップＳ３１６に進む。
【００７５】
ステップＳ３１６乃至ステップＳ３１８において、図５のステップＳ１１２乃至Ｓ１１４の処理と同様の処理が実行される。その説明は、繰り返しになるので省略する。
【００７６】
次に、図９と図１０を参照して、レリーズスイッチ８がオンされた場合の動作を説明する。
【００７７】
ステップＳ４１２乃至ステップＳ４１４の処理は、図５のメインスイッチ５がオンされた場合のステップＳ１１２乃至ステップＳ１１４の処理と同じなので、ここでは、その説明を省略する。
【００７８】
フォーカシング駆動中は、鏡筒４２の駆動にともない遮光羽根５２が回転し、遮光羽根５２の円盤面内部に設けられたファン６０の回転によって風は、燃料電池２２へ供給されている。そこで、２重に送風をする必要がないので、レリーズスイッチ８がオンされると、ステップＳ４０１において、ＣＰＵ１は、ファン駆動部１８を制御し、モータ１９への通電を中止して、電動ファン１９Ａの回転を停止する。
【００７９】
ステップＳ４０２において、ＣＰＵ１は鏡筒駆動部１０を介してモータ１１を駆動し、鏡筒４２をフォーカシング先まで駆動する。
【００８０】
鏡筒４２がフォーカシング先まで駆動され、鏡筒４２の駆動が停止すると、遮光羽根５２の回転も停止する。よって、遮光羽根５２の円盤面内部に設けられたファン６０の回転も停止し、燃料電池２２へは送風されなくなる。
【００８１】
そこで、ステップＳ４０３において、ＣＰＵ１は、ファン駆動部１８を制御し、モータ１９に通電して、電動ファン１９Ａを回転させる。
【００８２】
ステップＳ４０４において、シャッタの開閉動作が行われ、同時にストロボを使用する必要がある場合においては、ストロボの駆動が行われる。すなわち、このときＣＰＵ１はシャッタ駆動部１６を制御し、シャッタを所定の時間動作させる。また、このときＣＰＵ１はストロボ駆動部１７を制御して、必要に応じてストロボを発光させる。
【００８３】
ステップＳ４０５において、ＣＰＵ１は、ファン駆動部１８を制御し、モータ１９への通電を中止して、電動ファン１９Ａの回転を停止する。
【００８４】
ステップＳ４０６において、ＣＰＵ１は鏡筒駆動部１０を介してモータ１１を駆動し、鏡筒４２を待機位置まで戻す。このとき、鏡筒４２の駆動にともない遮光羽根５２が回転し、遮光羽根５２の円盤面内部に設けられたファン６０の回転によって発生した風は、燃料電池２２へ供給される。
【００８５】
鏡筒４２が待機位置まで戻され、鏡筒４２の駆動が停止すると、遮光羽根５２の回転も停止する。よって、遮光羽根５２の円盤面内部に設けられたファン６０の回転も停止し、燃料電池２２へは送風されなくなる。
【００８６】
そこで、ステップＳ４０７において、ＣＰＵ１は、ファン駆動部１８を制御し、モータ１９に通電して、電動ファン１９Ａを回転させる。
【００８７】
ステップＳ４０８において、ＣＰＵ１は、給送部１４を制御して、モータ１５を駆動して、フィルムを１駒給送させる。
【００８８】
ステップＳ４０９において、ＣＰＵ１は、ストロボ駆動部１７を制御し、次の撮影に備えストロボを充電させる。
【００８９】
ステップＳ４１０において、ＣＰＵ１は、ストロボの充電が完了したか否かを判定する。ステップＳ４１０において、ストロボの充電が完了したと判定されなかった場合、ステップＳ４０９に戻る。ステップＳ４１０において、ストロボの充電が完了したと判定された場合、ステップＳ４１１に進み、ＣＰＵ１は、ストロボの充電を停止し、処理をステップＳ４１２に進める。
【００９０】
その後行われるステップＳ４１２乃至ステップＳ４１４の処理は、図５のメインスイッチ５がオンされた場合のステップＳ１１２乃至ステップＳ１１４の処理と同じなので、ここでは、その説明を省略する。
【００９１】
以上、本発明をカメラに適用した場合を例として説明したが、本発明は、カメラ以外の携帯用の電子機器に適用することができる。
【００９２】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００９３】
【発明の効果】
以上のように、本発明によれば、電源である燃料電池に、空気を確実に供給することができる。
【図面の簡単な説明】
【図１】本発明のカメラの一実施の形態の構成を示すブロック図である。
【図２】図１の鏡筒位置検出部の概略構成を示す図である。
【図３】図２のフォトセンサの構成を示す図である。
【図４】図２のフォトセンサの別の構成を示す図である。
【図５】図１のカメラのメインスイッチがオンされた場合の処理を説明するためのフローチャートである。
【図６】図１のカメラのメインスイッチがオフされた場合の処理を説明するためのフローチャートである。
【図７】図１のカメラの半押しスイッチがオンされた場合の処理を説明するためのフローチャートである。
【図８】図１のカメラの半押しスイッチがオンされた場合の処理を説明するためのフローチャートである。
【図９】図１のカメラのレリーズスイッチがオンされた場合の処理を説明するためのフローチャートである。
【図１０】図１のカメラのレリーズスイッチがオンされた場合の処理を説明するためのフローチャートである。
【符号の説明】
５  メインスイッチ
６  レリーズボタン
７  半押しスイッチ
１８ファン駆動部
１９  モータ
１９Ａ  電動ファン
２２  燃料電池
４２  鏡筒
５１  フォトセンサ
５２  遮光羽根
６１，６２，６３  ファン
【図１】
2004212833.tif 000003
【図２】
2004212833.tif 000004
【図３】
2004212833.tif 000005
【図４】
2004212833.tif 000006
【図５】
2004212833.tif 000007
【図６】
2004212833.tif 000008
【図７】
2004212833.tif 000009
【図８】
2004212833.tif 000010
【図９】
2004212833.tif 000011
【図１０】
2004212833.tif 000012